(57)【要約】【課題】  床鋼板に配置されるＴ形リブなどの鋼桁フランジの上面に、縦リブ・スタッドなどの高さの大きいずれ止めを設けることなく、フランジ自体によるコンクリートとの付着性を良好に改善することで、鋼桁断面を小さくした、経済的で有効な合成床版を提供する。【解決手段】  床鋼板１上に立設されるＴ形リブ２のフランジ４に、多数のコンクリート貫通孔５を開設し、互いに隣接するＴ形リブ２のフランジ４間に、両端に挿入端６ｂ，６ｃを折り曲げたジベル鉄筋６を配置して、フランジ４の貫通孔５にジベル鉄筋６の挿入端６ｂ，６ｃを挿通係止する。【選択図】  図１
2005068844.tif 000002
【特許請求の範囲】
【請求項１】
床鋼板上に多数のＴ形リブが、それぞれウェブを介して互いに平行に配列されており、
これらのＴ形リブは、ウェブを中心とするフランジの左右両側に、多数のコンクリート貫通孔が、フランジの長さ方向に沿って所定の間隔をおいて開設されるとともに、これらの貫通孔は、平面から見て互いに隣接する各Ｔ形リブフランジの長さ方向と直交する向きの同じ基準線上に揃うように開設されており、
互いに隣接するＴ形リブフランジの間には、両端を直角方向に折り曲げて挿入端を設けたジベル鉄筋を、それぞれの挿入端が、一方のＴ形リブフランジの貫通孔と、隣接する他方のＴ形リブフランジの貫通孔とに挿通されるようにして、連結配列したことを特徴とする合成床版。
【請求項２】
隣接する一対のＴ形リブ間に配列されるジベル鉄筋の長さが、ジベル鉄筋の一方の挿入端が一方のＴ形リブフランジの左側貫通孔に挿通され、他方の挿入端が隣接する他方のＴ形リブの右側貫通孔に挿通されるような長さである請求項１の合成床版。
【請求項３】
隣接する一対のＴ形リブ間に配列されるジベル鉄筋の長さが、ジベル鉄筋の一方の挿入端が一方のＴ形リブフランジの右側貫通孔に挿通され、他方の挿入端が隣接する他方のＴ形リブの左側貫通孔に挿通されるような長さである請求項１の合成床版。
【請求項４】
ジベル鉄筋の両端の挿入端が、Ｔ形リブのフランジに開設された貫通孔内へ挿通されることで、フランジ下面と床鋼板との間に縦向きのずれ止めが形成される請求項１乃至請求項３のいずれかの合成床版。
【発明の詳細な説明】
【技術分野】
【０００１】
本発明は、床鋼板上にリブ、鉄筋などのジベル材を取付けておき、現場でこの床鋼板上にコンクリートを打設することで、鋼とコンクリートとを一体化させる合成床版の改良に関するものである。
【背景技術】
【０００２】
従来において、鋼桁とコンクリートとの合成構造としては、鋼桁上にコンクリート版を載せた合成板けた構造と、鋼桁をコンクリートで包み込んで形成する床版構造とが知られている。
【０００３】
前者の合成板けた構造には、Ｈ断面の鋼桁の上フランジの上面にスタッドジベルなどのずれ止めが取付けられており、また、後者の床版構造も、コンクリートに埋め込まれるＴ断面の鋼桁のフランジの上面にずれ止めが取付けられている。
【０００４】
このＴ断面の鋼桁のフランジの上面に設けられるずれ止めの構造としては、床版構造ではないが、特許文献１に示されるように、貫通孔を連続的に開設した孔あき鋼板をＨ形やＴ形断面の鋼桁の上フランジ上面に垂直な縦リブ状に設けたもの、あるいは、特許文献１の図８に示されるように、Ｈ断面の鋼桁のフランジ上面にスタッドジベルを突設したものなど各種のものが知られている。
【０００５】
【特許文献１】特開平１１−２９３６２６号公報
【発明の開示】
【発明が解決しようとする課題】
【０００６】
一般的に、床版橋は、低い桁高で使用されることから、活荷重によるたわみが他の桁高の高い合成構造より大きいことが欠点となる。従って、使用される鋼桁は可能な限り桁高の大きなものが求められ、また、鋼桁とコンクリートとのずれ拘束の大きいずれ止めを用いることが必要とされる。
【０００７】
特許文献１に示されたずれ止めは、いずれもＨ形やＴ形断面の鋼桁の上フランジの上面に取付けられて、コンクリート版と鋼桁との一体化を図っているが、いずれも、次に述べるような、問題点を有している。
【０００８】
第１に、上記のずれ止めのうち、Ｈ形やＴ形断面の鋼桁の上フランジ上面に孔あき鋼板を垂直な縦リブ状に設けたジベルとか、Ｈ形やＴ形断面の鋼桁のフランジ上面にスタッドジベルを突設したジベルなどは、これらのずれ止めがそれ自体で所定の高さを有していて、これらのずれ止めの高さがフランジ上面に付け加えられるため、ずれ止めの上に配置される鉄筋やコンクリートのかぶり厚さまでも含めると、Ｈ形やＴ形断面の鋼桁の下端から、ずれ止め上の鉄筋やかぶりコンクリート厚さまでを含めた大きな長さが、桁高として必要とされることになる。
【０００９】
そのため、Ｔ形やＨ形断面の鋼桁のフランジ上面に縦リブジベルやスタッドジベルなどの高さの大きいずれ止めを取付けた場合には、コンクリート桁内におけるフランジの位置がコンクリート桁上面の圧縮側縁と遠く離れることになって、鋼材断面が合成桁の中立軸に近づくことになる。これは、鋼桁フランジ断面の合成効果が低下したことを意味し、結果として、桁高の高い構造となるので、同じ桁高で比較した場合、合成効果が低下して撓みが大きく、剛性が得られないことにより経済的効果の低い構造となる。
【課題を解決するための手段】
【００１０】
本発明は、従来の合成床版における上記のような問題点を解決するための手段として、床鋼板上に設けられるＨ形やＴ形断面の鋼桁を、フランジ自体によるコンクリートとの付着性を良好にすることと、フランジ下方に設けられたずれ止めによるコンクリートとの付着性が良好になるように改善することで、鋼桁断面を小さくすることができ、経済的で有効な合成構造が得られるような合成床版の提供を目的とするものである。
【００１１】
本発明に係る合成床版は、そのための具体的手段として、床鋼板上に多数のＴ形リブが、それぞれウェブを介して互いに平行に配列されており、これらのＴ形リブは、ウェブを中心とするフランジの左右両側に、多数のコンクリート貫通孔が、フランジの長さ方向に沿って所定の間隔をおいて開設されるとともに、これらの貫通孔は、平面から見て互いに隣接する各Ｔ形リブフランジの長さ方向と直交する向きの同じ基準線上に揃うように開設されており、互いに隣接するＴ形リブフランジの間には、両端を直角方向に折り曲げて挿入端を設けたジベル鉄筋の挿入端を、一方のＴ形リブフランジの貫通孔と隣接する他方のＴ形リブフランジの貫通孔とに、挿通するようにして連結配列したことを特徴とする。
【００１２】
隣接する一対のＴ形リブ間に配列されるジベル鉄筋の長さとしては、ジベル鉄筋の一方の挿入端が一方のＴ形リブフランジの左側貫通孔に挿通され、他方の挿入端が隣接する他方のＴ形リブの右側貫通孔に挿通されるような長さであることが好ましい。
【００１３】
ジベル鉄筋の長さについては、別の形態として、ジベル鉄筋の一方の挿入端が一方のＴ形リブフランジの右側貫通孔に挿通され、他方の挿入端が隣接する他方のＴ形リブの左側貫通孔に挿通されるような長さであってもよい。
【００１４】
また、ジベル鉄筋の両端の挿入端が、Ｔ形リブのフランジに開設された貫通孔内へ挿通されることによって、フランジ下面と床鋼板との間に縦向きのずれ止めが形成されるように構成されることが好ましい。
【発明の効果】
【００１５】
この発明の合成床版によると、Ｔ形リブのウェブを中心とするフランジの左右両側に間隔をおいて貫通孔を開設したことと、フランジの上面に配置したジベル鉄筋の両端がそれぞれ貫通孔内を通してフランジの下方へ深く突出することにより、床鋼板上にコンクリートが打設されると、Ｔ形リブのウェブとフランジ下面によって囲まれる空間内に包み込まれたコンクリートのうち上方のコンクリートは、多数の貫通孔の内周面と係合して、このフランジ貫通孔の高さ位置で平面方向に均等なずれ止め作用を発揮し、また、フランジの下方では貫通孔の下方へ突出したジベル鉄筋の挿入端がずれ止め作用を発揮し、さらにフランジの上方ではジベル鉄筋がずれ止めを発揮することになり、Ｔ形リブとコンクリートとの一体性が高められ、耐久性の高い構造とすることができる。
【００１６】
勿論、前記のジベル鉄筋は、両端の挿入端が貫通孔内に係合された状態で、主要部が各Ｔ形リブの上方に配列されるので、これらのジベル鉄筋が、橋軸直角方向鉄筋としての役割を果たすことになり、その結果、Ｔ形リブのフランジの上面には、特許文献１に示される鋼桁のように、フランジ上面に貫通孔を開設した縦リブのような突起物状のずれ止めを設ける必要がなく、Ｔ形リブのフランジ上に設けられるコンクリートのかぶり量を低く設定できるため、全体的な桁高を低くすることができ、同じ桁高で比較した場合、合成効果が高く、経済的効果の高い構造とすることができる。
【００１７】
ジベル鉄筋は、互いに隣接するＴ形リブフランジの間に配列されるような長さに設定されるが、主要部の長さを、両端における一方の挿入端が一方のＴ形リブフランジの左側貫通孔に挿通され、他方の挿入端が隣接する他方のＴ形リブフランジの右側貫通孔に挿通されるような長さとした場合、同様にしてＴ形リブフランジの間に配列される各ジベル鉄筋は、左端と右端とがフランジ上で隙間なく前後方向に重合されることになって、各ジベル鉄筋のフランジ上での連体性が高められ、各ジベル鉄筋の揺動を抑えられるとともに、コンクリートの拘束性を高めることができる。
【００１８】
前記のように、ジベル鉄筋は、互いに隣接するＴ形リブフランジの間に配列されるような長さに設定されていればよく、例えば、主要部の長さを、前記のジベル鉄筋より短くして、両端における一方の挿入端が一方のＴ形リブフランジの右側貫通孔に挿通され、他方の挿入端が隣接する他方のＴ形リブフランジの左側貫通孔に挿通されるような長さとしてもよく、この場合には、Ｔ形リブフランジの間に配列される各ジベル鉄筋は、左端と右端とがフランジ上で前後方向に重合されずに配列されることになるが、これらのジベル鉄筋がＴ形リブ上面でずれ止め作用を発揮していることにかわりはない。
【発明を実施するための最良の形態】
【００１９】
互いに隣接する一対のＴ形リブのフランジ間に配列されるジベル鉄筋の主要部の長さとしては、例えば、ジベル鉄筋の一方の挿入端が一方のＴ形リブフランジの左側貫通孔に挿通されたとき、他方の挿入端が隣接する他方のＴ形リブの右側貫通孔に挿通されるような長さであることが好ましい。ジベル鉄筋がこのような長さを有する場合では、それぞれの貫通孔に挿通されるジベル鉄筋の端部が、右端と左端とが中間部Ｔ形リブのフランジ上で互いに前後方向に重合するような配列されることになり、各ジベル鉄筋の連体性が全てのＴ形リブの上面にわたって発揮される。
【実施例】
【００２０】
次に、本発明に係る合成床版の構成を図面に示す実施例について説明すると、図１に示すように、床鋼板１上の橋軸と平行な方向に多数のＴ形リブ２が、ウェブ３の下端を溶接することにより、互いに所定の間隔をおいて配列されている。
【００２１】
また、これらのＴ形リブ２には、フランジ４の前記ウェブ３を中心とした左右両側に、多数のコンクリート貫通孔５がフランジ４の長さ方向に沿って所定の間隔をおいて開設されているとともに、これらの貫通孔５は、平面から見て互いに隣接する各Ｔ形リブフランジ４の長さ方向と直交する向きの同じ基準線Ｅ−Ｅ線上に揃うように開設されている。
【００２２】
図２に示すように、貫通孔５の大きさは、孔の直径が、ウェブ３を中心としたフランジ４の左側及び右側の幅Ｗ１の１／４乃至１／２程度であることが好ましい。なお、それぞれの貫通孔５のフランジ４の長さ方向に沿った間隔Ｈは、フランジ４の幅Ｗ２と同じか、もしくは２倍程の範囲に設けられることが好ましい。
【００２３】
所定の間隔をおいて平行に配列されるＴ形リブ２のフランジ４上の、貫通孔５が開設されている基準線Ｅ−Ｅ線上には、Ｔ形リブ２の長さ方向と直交する向き（橋軸直角方向）にジベル鉄筋６が配置されている。このジベル鉄筋６は、主要部６ａが、隣接する一対のＴ形リブ２，２の間を連結できるような長さを有していて、両端に、フランジ４の貫通孔５内へ挿入されるように直角に折り曲げられた挿入端６ｂ，６ｃを有し、これらの挿入端６ｂ，６ｃがそれぞれのＴ形リブ２の前記貫通孔５内に挿通されている。
【００２４】
図１乃至図４に示す実施例の場合は、ジベル鉄筋６の主要部６ａの長さがやや大きいので、主要部６ａは、一方の挿入端６ｂが一方のＴ形リブ２ａにおけるフランジ４の左側の貫通孔５ａ内に挿入され、他方の挿入端６ｃが隣接する他方のＴ形リブ２ｂにおけるフランジ４の右側の貫通孔５ｂに挿入されるような長さとなっている。
【００２５】
そのため、図２に示すように、このジベル鉄筋６と、互いに隣接する左側、中間部、右側の３本のＴ形リブ２ａ，２ｂ，２ｃとの関係について見ると、左側Ｔ形リブ２ａと中間部Ｔ形リブ２ｂとの間を連結するジベル鉄筋６は、左側の挿入端６ｂが、左側Ｔ形リブ２ａの左側貫通孔５ａに挿通されて、右側の挿入端６ｃが、中間部Ｔ形リブ２ｂの右側貫通孔５ｂに挿通されており、一方、中間部Ｔ形リブ２ｂと右側Ｔ形リブ２ｃとの間を連結するジベル鉄筋６は、左側の挿入端６ｂが中間部Ｔ形リブ２ｂの左側貫通孔５ａに挿通され、右側の挿入端６ｃが右側Ｔ形リブ２ｃの右側貫通孔５ｂに挿通されている。その結果、両ジベル鉄筋６，６の右端と左端とが中間部Ｔ形リブ２ｂのフランジ４上で互いに前後方向に重なり合うように配列されている。
【００２６】
なお、フランジ４における同じ基準線Ｅ−Ｅ線上の貫通孔５に沿って配列される１列のジベル鉄筋６と、同様にして配列される他の１列のジベル鉄筋６との間のスペースには、平行に補強鉄筋７が配列されるとともに、これらの補強鉄筋７の上には、さらに、前記Ｔ形リブ２と平行な方向に補強鉄筋８が配列される。
【００２７】
図５は、ジベル鉄筋６の別の実施例を示している。この場合のジベル鉄筋１６は、図１及び図２に示した実施例のジベル鉄筋６と比較すると、主要部１６ａの長さが前記実施例のものよりも幾分短くなっていて、主要部１６ａの一端に設けられる挿入端１６ｂが一方のＴ形リブ１２ａにおけるフランジ１４の右側の貫通孔１５ｂ内に挿入され、他方の挿入端１６ｃが隣接する他方のＴ形リブ１２ｂにおけるフランジ１４の左側の貫通孔１５ａ内に挿入されるようになっている。
【００２８】
そのため、各Ｔ形リブ１２の同じ基準線Ｅ−Ｅ線上に揃うように配列される各ジベル鉄筋１６，１６は、一方のジベル鉄筋１６の右端と他方のジベル鉄筋１６の左端とが、フランジ１４上で前後方向に重なり合わないように配列される。しかし、各ジベル鉄筋１６は、それぞれ両端がＴ形リブ１２の貫通孔１５内に挿通されてＴ形リブ１２との一体性を保持するので、これらのジベル鉄筋１６が橋軸直角方向鉄筋の役割を果たす点については、前記実施例の場合とさほど相違しない。
【００２９】
床鋼板１上にコンクリート９が打設されると、Ｔ形リブ２のウェブ３とフランジ４の下面によって囲まれる空間内に包み込まれたコンクリート９は、図３に示した多数の貫通孔５の内周面と係合し、このフランジ貫通孔５の高さ位置で水平面方向に均等なずれ止め作用と、フランジ４の下方では、貫通孔５の下方へ突出する挿入端６ｂ，６ｃがジベルとしてのずれ止め作用を発揮し、フランジ４の上方では、ジベル鉄筋６がずれ止めを発揮することになり、高さの異なる三つの面にずれ止め作用が与えられので、繰り返しの移動変動荷重で、衝撃的な動的荷重が載荷された場合でも，コンクリート９との一体性が高められ、剥離のおそれのない耐久性の高い構造とすることができる。
【産業上の利用可能性】
【００３０】
この発明の合成床版では、Ｔ形リブのフランジに貫通孔を開設したことと、フランジの上面に配置したジベル鉄筋の両端を貫通孔内を通してフランジ下面へ突出させたことで、床鋼板上に打設されたコンクリートが貫通孔の内周面に係合して、この貫通孔の高さ位置で平面方向に均等なずれ止め作用が発揮され、かつ、ジベル鉄筋がＴ形リブ上で橋軸直角方向鉄筋としての役割を果たすので、Ｔ形リブのフランジの上面に、突起物によるずれ止めを設ける必要がなく、単に鉄筋を配列するだけで足り、コンクリートのかぶり量を低くした桁高の低い合成床版を構成することができ、利用可能性は大きい。
【図面の簡単な説明】
【００３１】
【図１】本発明に係る合成床版の構成を示す部分斜視図。
【図２】本発明に係る合成床版の構成を示す平面図。
【図３】図２のＡ−Ａ線における断面図。
【図４】図２のＢ−Ｂ線における断面図。
【図５】本発明の別の実施例の構成を示す平面図。
【図６】図５のＣ−Ｃ線における断面図。
【符号の説明】
【００３２】
１：床鋼板、
２：Ｔ形リブ、
３：ウェブ、
４：フランジ、
５：貫通孔、
６：ジベル鉄筋、
６ａ：鉄筋主要部、
６ｂ，６ｃ：鉄筋両端の挿入端、
７，８：補強鉄筋、
９：コンクリート、
【図１】
2005068844.tif 000003
【図２】
2005068844.tif 000004
【図３】
2005068844.tif 000005
【図４】
2005068844.tif 000006
【図５】
2005068844.tif 000007
【図６】
2005068844.tif 000008